(57)【要約】【課題】折り畳み自在な荷役用パレットにおけるサイドパネルの位置決め効果を高めながら構造を簡略化する。【解決手段】荷支持台１の左右両側部のパネル支持部２０で下側辺が支持されるサイドパネル２を備え、このパネル支持部２０には、サイドパネル２が外側に開動するのを阻止する上向きの突出部材２１が併設された折り畳み自在な荷役用パレットであって、荷支持台１は、フレーム構造体６とその上に敷設されたメッシュ構造体７とから構成され、パネル支持部２０は、荷支持台１のメッシュ構造体７で構成され、このパネル支持部２０上で内側に閉動するサイドパネル２の下側辺が係合する位置決め用係合部材２３がメッシュ構造体７の支持レベルから上に突出するように設けられた構成。【選択図】図６
2009046164.tif 000002
【特許請求の範囲】
【請求項１】
左右両側部にパネル支持部を備えた荷支持台、この荷支持台の後側辺に当該荷支持台上へ折り畳み自在に立設されたバックパネル、及びこのバックパネルの左右両側辺に当該バックパネルに重ねるように折り畳み自在に連設され且つ前記荷支持台のパネル支持部で下側辺が支持されるサイドパネルを備え、前記パネル支持部には、前記サイドパネルが外側に開動するのを阻止する上向きの突出部材が併設された折り畳み自在な荷役用パレットであって、前記荷支持台は、フレーム構造体とその上に敷設されたメッシュ構造体とから構成され、前記パネル支持部は、荷支持台の前記メッシュ構造体で構成され、このパネル支持部上で内側に閉動する前記サイドパネルの下側辺が係合する位置決め用係合部材が前記メッシュ構造体の支持レベルから上に突出するように設けられている、折り畳み自在な荷役用パレット。
【請求項２】
前記荷支持台の左右両側部には、それぞれ底側に段積み用凹部を備えた前後一対の脚体が下向きに突設され、平面視において各脚体と重なる位置に前記上向き突出部材が配設され、これら上向き突出部材は、前記位置決め用係合部材よりも高く突出して、折り畳み状態のパレットの段積み時に上段パレットの各脚体の段積み用凹部が嵌合する折り畳み段積み用支持具を兼用する、請求項１に記載の折り畳み自在な荷役用パレット。
【請求項３】
前記パネル支持部は、前記メッシュ構造体の線材の内、前後方向適当間隔おきに並列する左右方向線材で構成され、前記上向き突出部材には、下端から内側へ取付け部が折曲連設され、この取付け部が、パネル支持部における左右方向線材間を横断する状態でフレーム構造体上に取り付けられている、請求項１又は２に記載の折り畳み自在な荷役用パレット。
【請求項４】
前記パネル支持部は、前記メッシュ構造体の線材の内、前後方向適当間隔おきに並列する左右方向線材で構成され、前記上向き突出部材は、前記メッシュ構造体の左右方向線材上に固着された前後方向に長い棒状材で構成されている、請求項１又は２に記載の折り畳み自在な荷役用パレット。
【請求項５】
前記パネル支持部は、前記メッシュ構造体の線材の内、前後方向適当間隔おきに並列する左右方向線材で構成され、前記位置決め用係合部材は、前記メッシュ構造体の左右方向線材上に固着された前後方向に長い棒状材で構成されている、請求項１〜３の何れか１項に記載の折り畳み自在な荷役用パレット。
【請求項６】
前記棒状材は、メッシュ構造体の前後方向長さの全域にわたって連続する長さを有する、請求項４又は５に記載の折り畳み自在な荷役用パレット。
【請求項７】
前記棒状材は、前記メッシュ構造体の前後方向適当間隔おきに配列された複数本から成る、請求項４又は５に記載の折り畳み自在な荷役用パレット。
【請求項８】
前記パネル支持部は、前記メッシュ構造体の線材の内、前後方向適当間隔おきに並列する左右方向線材で構成され、前記上向き突出部材と位置決め用係合部材は、それぞれ下端から一側方へ取付け部が折曲連設された同一物を、それぞれの取付け部がパネル支持部側に向かって延出する向きに配置したものであって、それぞれの取付け部が、パネル支持部における左右方向線材間を横断する状態でフレーム構造体上に取り付けられている、請求項１又は２に記載の折り畳み自在な荷役用パレット。
【請求項９】
前記パネル支持部は、前記メッシュ構造体の線材の内、前後方向適当間隔おきに並列する左右方向線材で構成され、前記位置決め用係合部材は、パネル支持部から遠ざかる方向に下端から折曲連設された取付け部を備え、その取付け部がメッシュ構造体の左右方向線材間で下側の少なくとも２本の前後方向線材上に跨がって取り付けられている、請求項１又は２に記載の折り畳み自在な荷役用パレット。
【発明の詳細な説明】
【技術分野】
【０００１】
本発明は、荷支持台、この荷支持台の後側辺に当該荷支持台上へ折り畳み自在に立設されたバックパネル、及びこのバックパネルの左右両側辺に当該バックパネルに重ねるように折り畳み自在に連設されたサイドパネルを備えた折り畳み自在な荷役用パレットに関するものである。
【背景技術】
【０００２】
この種の折り畳み自在な荷役用パレットでは、特許文献１にも記載されるように、前記パネル支持部に支持されたサイドパネルの位置決めのために、当該サイドパネルの下側辺から下向きに突設した突出片を、荷支持台の左右両側部に設けられた前後方向の凹溝部に嵌合させるように構成されていた。
【特許文献１】特開２００５−９６８２３号公報
【発明の開示】
【発明が解決しようとする課題】
【０００３】
上記のような従来の荷役用パレットの構成では、サイドパネルの下側辺から突出する突出片が変形して、折り畳まれたパレットの組立てに支障を来す恐れがあるばかりでなく、当該突出片の存在によりサイドパネルをバックパネルの外側に折り畳まなければならず、パレットの折り畳みに際し、パレットの周囲に大きな空間が必要になると共に、折り畳み作業も容易でなかった。このような問題点を解決するため、サイドパネルの下側辺は突出片を設けずにフラットにし、荷支持台の左右両側部に設けたパネル支持部でサイドパネルの下側辺を支持させると共に、当該サイドパネルが外側に開動するのを荷支持台から突設させた上向き突出部材で阻止するように構成することも考えられたが、このサイドパネルを外向きに押し開くほどに荷が収納されていない状態でパレットを段積みしたとき、サイドパネルに作用する上段パレットからの垂直荷重でサイドパネルの下側辺が荷支持台上を内側へ滑って当該サイドパネルが座屈変形する恐れがあった。
【課題を解決するための手段】
【０００４】
本発明は上記のような従来の問題点を解消し得る折り畳み自在な荷役用パレットを提供することを目的とするものであって、請求項１に記載の折り畳み自在な荷役用パレットは、後述する実施形態の参照符号を付して示すと、左右両側部にパネル支持部２０を備えた荷支持台１、この荷支持台１の後側辺に当該荷支持台１上へ折り畳み自在に立設されたバックパネル４、及びこのバックパネル４の左右両側辺に当該バックパネル４に重ねるように折り畳み自在に連設され且つ前記荷支持台１のパネル支持部２０で下側辺が支持されるサイドパネル２，３を備え、前記パネル支持部２０には、前記サイドパネル２，３が外側に開動するのを阻止する上向きの突出部材２１，２５，２９，３１が併設された折り畳み自在な荷役用パレットであって、前記荷支持台１は、フレーム構造体６とその上に敷設されたメッシュ構造体７とから構成され、前記パネル支持部２０は、荷支持台１の前記メッシュ構造体７で構成され、このパネル支持部２０上で内側に閉動する前記サイドパネル２，３の下側辺が係合する位置決め用係合部材２３，２６，３０，３２が前記メッシュ構造体７の支持レベルから上に突出するように設けられた構成となっている。
【０００５】
上記構成の本発明を実施するについて、前記荷支持台１の左右両側部に、それぞれ底側に段積み用凹部８ａを備えた前後一対の脚体８が下向きに突設されている場合、請求項２に記載のように、平面視において各脚体８と重なる位置に前記上向き突出部材２１，２５を配設し、これら上向き突出部材２１，２５は、前記位置決め用係合部材２３，２６，３０，３２よりも高く突出させて、折り畳み状態のパレットの段積み時に上段パレットの各脚体８の段積み用凹部８ａが嵌合する折り畳み段積み用支持具１５を兼用させることができる。
【０００６】
前記パネル支持部２０は、前記メッシュ構造体７の線材の内、前後方向適当間隔おきに並列する左右方向線材１９で構成することができるが、この場合、請求項３に記載のように、前記上向き突出部材２１，２５，２９には、下端から内側へ取付け部２２，２２ａ，２２ｂを折曲連設し、この取付け部２２，２２ａ，２２ｂを、パネル支持部２０における左右方向線材１９間を横断する状態でフレーム構造体６上に取り付けることができる。又、請求項４に記載のように、前記上向き突出部材３１は、前記メッシュ構造体７の左右方向線材１９上に固着された前後方向に長い棒状材３３で構成するか又は、請求項５に記載のように、前記位置決め用係合部材２３，３２は、前記メッシュ構造体７の左右方向線材１９上に固着された前後方向に長い棒状材２４，２４ａ〜２４ｃ，３３で構成することができる。
【０００７】
上記請求項４や５に記載の構成を採用する場合、請求項６に記載のように、前記棒状材２４，３３は、メッシュ構造体７の前後方向長さの全域にわたって連続する長さを有するものにするか又は、請求項７に記載のように、前記棒状材２４ａ〜２４ｃは、前記メッシュ構造体７の前後方向適当間隔おきに配列された複数本から構成することができる。
【０００８】
又、前記のように前記パネル支持部２０が、前記メッシュ構造体７の線材の内、前後方向適当間隔おきに並列する左右方向線材１９で構成されている場合、請求項８に記載のように、前記上向き突出部材２９と位置決め用係合部材３０は、それぞれ下端から一側方へ取付け部２２ａ，２２ｂが折曲連設された同一物とし、この両者を、それぞれの取付け部２２ａ，２２ｂがパネル支持部２０側に向かって延出する向きに配置すると共に、それぞれの取付け部２２ａ，２２ｂを、パネル支持部２０における左右方向線材１９間を横断する状態でフレーム構造体６上に取り付けることができる。更に、請求項９に記載のように、前記位置決め用係合部材２６には、パネル支持部２０から遠ざかる方向に下端から折曲連設された取付け部２７を設け、その取付け部２７をメッシュ構造体７の左右方向線材１９間で下側の少なくとも２本の前後方向線材１８上に跨がって取り付けることができる。
【発明の効果】
【０００９】
上記請求項１に記載の本発明に係る折り畳み自在な荷役用パレットによれば、左右両サイドパネルの下側辺を支持するパネル支持部は、荷支持台の荷支持面を形成するメッシュ構造体で構成されるので、特殊構造の荷支持台が不要であり、従来から一般的に知られている荷支持台、即ち、荷支持台の表面積いっぱいにメッシュ構造体が敷設された極普通の荷支持台を利用してパレットを製造することができ、しかも、サイドパネルが外側へ開動するのを上向き突出部材で阻止するだけでなく、当該サイドパネルの下側辺がメッシュ構造体上を滑って内側へ閉動しようとしたときは、メッシュ構造体の支持レベルから上に突出する位置決め用係合部材に当該サイドパネルの下側辺が引っ掛かってその閉動を阻止されるので、サイドパネルは所定位置に確実に保持され、パレットを段積みしたときにサイドパネルの下側辺が荷支持台上を内側へ滑って座屈変形するのを効果的に防止できる。
【００１０】
尚、請求項２に記載の構成によれば、前記上向き突出部材をして、折り畳み状態のパレットの段積み時に荷支持台の左右両側辺に必要な折り畳み段積み用支持具を兼用させることができ、この折り畳み段積み用支持具を別途設ける場合と比較して部品点数を少なくし、コストダウンを図ることができる。
【００１１】
又、請求項３に記載の構成によれば、上向き突出部材を荷支持台の垂直な外側面に当て付けて溶接する場合や平坦面の無いメッシュ構造体の上に載置して溶接する場合などと比較して、メッシュ構造体の下側のフレーム構造体の上に取付け部を載置して容易且つ強固に取り付けることができる。
【００１２】
又、請求項４や５に記載の構成によれば棒状材を適当長さに裁断するだけで、上向き突出部材や位置決め用係合部材を簡単且つ安価に構成することができるが、特に請求項６に記載の構成によれば、メッシュ構造体の前後方向長さの全域にわたって連続する長さを有する棒状材で上向き突出部材や位置決め用係合部材を構成するのであるから、この棒状材が取り付けられるメッシュ構造体自体を補強する効果も得られ、請求項７に記載の構成によれば、上向き突出部材や位置決め用係合部材による重量アップを最小限に抑え、軽量化を図ることができる。
【００１３】
更に、請求項８に記載の構成によれば、上向き突出部材と位置決め用係合部材を同一部材で兼用させるのであるから、コストダウンを図ることができ、しかも、上向き突出部材と位置決め用係合部材の両方共、メッシュ構造体の下側のフレーム構造体の上に取付け部を載置して容易且つ強固に取り付けることができる。又、請求項９に記載の構成によれば、位置決め用係合部材をパネル支持部から内側に離れた位置でメッシュ構造体の前後方向線材を利用して取り付けることができるので、上向き突出部材の構造や位置又は取付け方法との関係で、位置決め用係合部材をパネル支持部側で取り付けることができないような場合に効果的である。
【発明を実施するための最良の形態】
【００１４】
以下に本発明の好適実施形態を添付図に基づいて説明すると、図１及び図２において、１は平面矩形の荷支持台、２，３は荷支持台１の左右両側辺から起立するサイドパネル、４は荷支持台１の後側辺から起立するバックパネル、５は荷支持台１の前側辺から起立する開閉自在なゲートパネルである。荷支持台１は、フレーム構造体６とその上に重ねて固着されたメッシュ構造体７とから構成され、この荷支持台１の左右両側辺の前後両端近傍位置には、フレーム構造体６の底部に固着する方法で脚体８が付設されている。各脚体８の底部には、従来周知のように段積み用凹部８ａが形成されている。サイドパネル２，３は、バックパネル４の左右両側辺にコイルヒンジ９を介して当該バックパネル４の内側に重ねるように折り畳み自在に連結されている。バックパネル４は、その下端から内側に直角に折曲連設された折曲底辺部１０を備えた側面視Ｌ形のもので、その折曲底辺部１０の先端においてヒンジ１１により荷支持台１上に起伏自在に連結されている。
【００１５】
ゲートパネル５は、下側ゲート部５ａと、この下側ゲート部５ａの上辺にヒンジ１２によって前後開閉自在に連結された上側ゲート部５ｂとから成り、下側ゲート部５ｂの下辺が荷支持台１の前側辺にコイルヒンジ１３により起伏自在に連結されている。そして、垂直に起立させたゲートパネル５の下側パネル部５ａの左右両側辺上端部と上側パネル部５ｂの左右両側辺上端部とをサイドパネル２，３の前側辺に係止する４つの係止手段１４が併設されている。
【００１６】
上記構成の荷役用パレットは、図１に示す組立て状態において、各パネル２〜５で囲まれた荷支持台１上の荷収納空間内に荷を収納して、運搬や保管に利用されるものであるが、荷を取り出すときは、係止手段１４を解除して、ゲートパネル５の全体又は上側ゲートパネル部５ｂのみを手前に回倒して荷収納空間の前側を開放することができる。この組立て状態での荷役用パレットは、図２に仮想線で示すように、上段のパレットの左右両側の脚体８を下段のパレットの左右両サイドパネル２，３の上辺に、各脚体８の底部の段積み用凹部８ａを利用して嵌合させることにより、段積みすることができる。
【００１７】
使用しない荷役用パレットは、係止手段１４を解除して荷支持台１上にゲートパネル５を重ねるように折り畳み、左右両サイドパネル２，３をバックパネル４の内側に重ねるように折り畳んだ状態で当該バックパネル４を荷支持台１上に重ねるように折り畳むことにより、荷支持台１上の高さが、最上位に位置する折り畳まれたバックパネル４の垂直姿勢にある折曲底辺部１０の高さ相当まで低くすることができる。この実施形態でのパレットは、折り畳んだパレットを段積みするための折り畳み段積み用支持具１５が、荷支持台１の左右両側辺の前後２箇所に上向きに突設されているので、上段の折り畳みパレットにおける左右両側それぞれ前後一対の脚体８を、下段の折り畳みパレットにおける左右両側それぞれ前後一対の折り畳み段積み用支持具１５の上辺に、各脚体８の底部の段積み用凹部８ａを利用して嵌合させることにより、段積みすることができる。
【００１８】
上記のように使用される折り畳み自在な荷役用パレットにおいて採用した本発明に係る構成を図３〜図６に基づいて説明すると、図３に示すように、荷支持台１のフレーム構造体６は、左右一対の前後方向枠材１６ａ，１６ｂ及び前後一対の左右方向枠材１６ｂ，１６ｃから構成された周囲枠１７と、この周囲枠１７の内側、具体的には左右一対の前後方向枠材１６ａ，１６ｂどうしを略中央位置で互いに連結する補強用左右方向枠材１６ｅとから構成されている。尚、この実施形態では、前後一対の左右方向枠材１６ｂ，１６ｃは、左右一対の前後方向枠材１６ａ，１６ｂの前後両端より少し内側に入った箇所に配置され、各脚体８は、前後方向枠材１６ａ，１６ｂの下側で当該前後方向枠材１６ａ，１６ｂと左右方向枠材１６ｂ，１６ｃとの間のＴ形交叉部に溶接により固着されている。尚、この実施形態では、フレーム構造体６の左右一対の前後方向枠材１６ａ，１６ｂには溝形鋼を上側開放向きに使用し、３本の左右方向枠材１６ｃ〜１６ｅには、その上面を前後方向枠材１６ａ，１６ｂの上端レベルより一段低くした角パイプ材を使用しているが、これら枠材１６ａ〜１６ｅは、如何なる断面形状の部材で構成しても良い。勿論、周囲枠１７の内側に架設する補強用枠材の方向や本数（荷支持台１のサイズが小さいときは無くとも良い）も限定されない。
【００１９】
荷支持台１のメッシュ構造体７は、図３に示すように、左右方向に適当間隔おきに並列する多数本の前後方向線材１８と、これら前後方向線材１８の上側で前後方向に適当間隔おきに並列させた多数本の左右方向線材１９を、溶接により互いに固着して構成されたものである。このメッシュ構造体７をフレーム構造体６の上に敷設するのであるが、このとき図４及び図６に示すように、左右両端とその内側２番目の各２本の前後方向線材１８がフレーム構造体６の左右一対の前後方向枠材１６ａ，１６ｂを挟むと共に、残りの各前後方向線材１８がフレーム構造体６の各左右方向枠材１６ｃ〜１６ｅの上に当接し、同時に各左右方向線材１９の両端部がフレーム構造体６の左右一対の前後方向枠材１６ａ，１６ｂ上に横断当接するように構成している。尚、メッシュ構造体７の網目は、各前後方向線材１８と各左右方向線材１９とで形成されるが、図４に示すように、フレーム構造体６の各左右方向枠材１６ｃ〜１６ｅと重なる領域には左右方向線材１９は配置されておらず、このフレーム構造体６の各左右方向枠材１６ｃ〜１６ｅを利用してその前後両側にメッシュ構造体７の網目を形成している。
【００２０】
上記構成によれば、荷支持台１の左右両側部には、フレーム構造体６の左右一対の前後方向枠材１６ａ，１６ｂの上を左右方向に横断する各左右方向線材１９の両端部で形成されたパネル支持部２０が形成され、このパネル支持部２０上に左右各サイドパネル２，３の下側辺が支持されることになる。
【００２１】
前記折り畳み段積み用支持具１５は、図４〜図６に示すように、脚体８の前後方向の幅よりも幅広の板材から成る上向き突出部材２１により構成されたもので、その下端から内側へ直角に折曲連設された取付け部２２を備えている。上向き突出部材２１は、折り畳み段積み用支持具１５を構成させるために、折り畳まれたパレットを段積みしたときに、上段パレットの各脚体８の底部の段積み用凹部８ａを嵌合させることができる高さに位置する上側縁２１ａと、この上側縁２１ａの一端に位置して、支持する上段パレットの前後方向の移動を阻止する突起部２１ｂを備えている。而して、各折り畳み段積み用支持具１５（上向き突出部材２１）は、それぞれの取付け部２２を、メッシュ構造体７における前後両端の左右方向線材１９とその内側２番目の左右方向線材１９との間において、フレーム構造体６の前後方向枠材１６ａ，１６ｂの上にパネル支持部２０を横断するように載置して溶接により固着することにより、平面視において各脚体８と重なる位置に取り付けられている。
【００２２】
このとき、各折り畳み段積み用支持具１５（上向き突出部材２１）は、メッシュ構造体７の左右両端の前後方向線材１８、即ち、フレーム構造体６の前後方向枠材１６ａ，１６ｂの外側に隣接する前後方向線材１８の真上で起立すると共に、パネル支持部２０を横断することになる水平の取付け部２２の上面は、当該パネル支持部２０におけるパネル支持レベル、即ち、メッシュ構造体７の上側の左右方向線材１９によるに支持レベルと面一か又は若干低い位置にある。従って、取付け部２２の上面がパネル支持部２０におけるパネル支持レベルと面一になるように構成すれば、サイドパネル２，３の下側辺は、パネル支持部２０を構成しているメッシュ構造体７の左右方向線材１９の両端部と前後一対の折り畳み段積み用支持具１５（上向き突出部材２１）の取付け部２２の上面の両方で支持させることができる。尚、この構成によって折り畳み段積み用支持具１５（上向き突出部材２１）を構成する板材の板厚が制限される結果、当該折り畳み段積み用支持具１５（上向き突出部材２１）の支持強度が不足するときは、上向き突出部材２１に垂直方向の補強用リブを成形することができる。
【００２３】
荷支持台１の左右両側部のパネル支持部２０には、その内側に隣接するように位置決め用係合部材２３が配設されている。この実施形態における位置決め用係合部材２３は、メッシュ構造体７を構成している前後方向線材１８と同一線径の棒状材（丸棒鋼）２４から成るもので、この棒状材２４を、メッシュ構造体７の左右両端から内側へ２番目の前後方向線材１８、即ち、フレーム構造体６の前後方向枠材１６ａ，１６ｂの内側に隣接する前後方向線材１８の真上で、左右方向線材１９の上に前後方向に載置して溶接により固着している。この場合、図４Ａに示すように、荷支持台１の前後方向長さの全域にわたって連続する１本の長尺棒状材２４を使用して位置決め用係合部材２３を構成しても良いし、図４Ｂに示すように、少なくとも前後に隣り合う２本の左右方向線材１９間に跨がって固着できる長さに裁断した複数本の棒状材２４を使用して位置決め用係合部材２３を構成しても良い。図４Ｂに示す実施形態では、フレーム構造体６における前後両端の左右方向枠材１６ｃ，１６ｄ、及び補強用の中間左右方向枠材１６ｅをそれぞれ前後から挟む位置にある前後２本の左右方向線材１９間に跨がって固着できる長さに裁断した３本の棒状材２４ａ〜２４ｃを使用して位置決め用係合部材２３を構成している。
【００２４】
以上の構成によれば、図１に示すように組み立てられたパレットの左右両サイドパネル２，３は、その下側辺が荷支持台１側の左右両パネル支持部２０で支持されるが、当該サイドパネル２，３が外側へ開動することは、上向き突出部材２１で構成された前後一対の折り畳み段積み用支持具１５によって確実に阻止され、当該サイドパネル２，３が内側へ閉動することは、パネル支持部２０上（メッシュ構造体７の各左右方向線材１９の上）で内側へ滑動するサイドパネル２，３の下側辺が当該パネル支持部２０の内側に位置する位置決め用係合部材２３に引っ掛かって止められる。従って、左右両サイドパネル２，３は、バックパネル４に対して略直角前方向きの姿勢に確実に保持される。そしてこのパレットを折り畳むために左右両サイドパネル２，３をバックパネル４の内側へ折り重ねるときは、バックパネル４を後方へ倒すように左右両サイドパネル２，３を少し持ち上げて内側へ閉動させることにより、そのサイドパネル２，３の下側辺をして、位置決め用係合部材２３を内側へ乗り越えさせれば良い。
【００２５】
尚、上記実施形態の上向き突出部材２１（折り畳み段積み用支持具１５）は、板材の折曲加工によって構成したものであるが、図７及び図８に示すように、棒状材の曲げ加工により構成した上向き突出部材２５（折り畳み段積み用支持具１５）を使用することもできる。この図７に示す上向き突出部材２５（折り畳み段積み用支持具１５）は、１本の棒状材（丸棒鋼）の曲げ加工により構成されたもので、前後両支柱部２１ｃの下端から直角内向きに前後一対の取付け部２２ａ，２２ｂを折曲延出させたものであって、図８に示すように、前後一対の取付け部２２ａ，２２ｂを利用して、先の上向き突出部材２１（折り畳み段積み用支持具１５）と同様に、パネル支持部２０の左右方向線材１９間でフレーム構造体６の前後方向枠材１６ａ，１６ｂ上に取り付けることができる。勿論、この場合の使用棒状材は、その取付け部２２ａ，２２ｂがパネル支持部２０の一部分を構成するように、メッシュ構造体７における左右方向線材１９と同一線径のものを使用するのが望ましい。
【００２６】
又、棒状材２４から構成された位置決め用係合部材２３を例示したが、図７及び図８に示すように、板材から構成された位置決め用係合部材２６を利用することもできる。この位置決め用係合部材２６は、メッシュ構造体７の左右方向線材１９の線径より厚くない板厚で且つ前後に隣り合う２本の左右方向線材１９間に嵌合できる幅の帯状板（鋼板）から成るもので、パネル支持部２０の内側に位置する少なくとも２本の前後方向線材１８に跨がってこれら前後方向線材１８上に載置し溶接により固着した水平の取付け部２７と、この取付け部２７のパネル支持部２０に隣接する長さ方向一端から上向きに折曲連設されてパネル支持部２０の支持レベル（上側の左右方向線材１９の上端レベル）より上方に突出する突出片２８から構成されている。
【００２７】
上記各実施形態では、折り畳み段積み用支持具１５を兼用する構造の上向き突出部材２１，２５を例示したが、折り畳み段積み用支持具１５が不要のときは、パネル支持部２０の外側に配設する上向き突出部材は、その高さを低くすることができるし、１本の垂直に起立する棒状材、１本の前後方向向きの棒状材、その他、任意の形状の部材から構成することができる。例えば図９及び図１０に示す上向き突出部材２９は、メッシュ構造体７の左右方向線材１９と同一線径の１本の棒状材（丸棒鋼）をアーチ形や角門形など任意の形状に曲げ加工して構成したもので、その両下端から直角内向きに水平の取付け部２２ａ，２２ｂを折曲連設している。この上向き突出部材２９も、前後一対の取付け部２２ａ，２２ｂを利用して、先の上向き突出部材２５と同様に、パネル支持部２０の左右方向線材１９間でフレーム構造体６の前後方向枠材１６ａ，１６ｂ上に取り付けることができる。
【００２８】
又、図示のような棒状材から成る上向き突出部材２９は、その取付け部２２ａ，２２ｂの延出する向きが左右逆になるように使用することにより、位置決め用係合部材３０としても利用できる。この場合、取付け部２２ａ，２２ｂが棒状材から構成されているので、図示のように上向き突出部材２９の取付け部２２ａ，２２ｂと位置決め用係合部材３０の取付け部２２ａ，２２ｂとをパネル支持部２０の長さ方向に互いに齟齬させて隣接させることにより、前後に隣り合う２本の左右方向線材１９間でフレーム構造体６の前後方向枠材１６ａ，１６ｂ上に上向き突出部材２９と位置決め用係合部材３０を互いに相対向する状態に取り付けることができる。勿論、上向き突出部材２９と位置決め用係合部材３０の取付け位置をパネル支持部２０の長さ方向に適当にずらして配置するときは、板材をＬ字形に曲げ加工して構成した同一物で上向き突出部材と位置決め用係合部材を構成することもできる。
【００２９】
図１１に示す実施形態では、適当な太さの棒状材（丸棒鋼を示したが角棒鋼や帯状鋼板でも良い）３３から構成された上向き突出部材３１と位置決め用係合部材３２とを使用している。上向き突出部材３１は、パネル支持部２０の外側で左右方向線材１９の端部上に、パネル支持部２０の長さ方向に沿って溶接により固着され、位置決め用係合部材３２は、パネル支持部２０の内側で左右方向線材１９の上に、パネル支持部２０の長さ方向に沿って溶接により固着されるが、この場合の上向き突出部材３１と位置決め用係合部材３２も、先に説明したように、パネル支持部２０の全長にわたって連続する長尺物でも良いし、パネル支持部２０の長さ方向適当間隔おきに直列配置される複数本から成るものであっても良い。尚、位置決め用係合部材３２は高さの低いもので良いが、上向き突出部材３１としては、必要な高さを確保できる断面サイズの棒状材を使用するのが望ましい。
【００３０】
尚、折り畳み段積み用支持具１５を兼用させる上向き突出部材は、荷支持台１の左右両側辺の前後２箇所に配設される脚体８と平面視において重なる前後２箇所に配設する必要があるが、折り畳み段積み用支持具１５を兼用させない上向き突出部材や位置決め用係合部材の個数や位置は限定されるものではない。
【図面の簡単な説明】
【００３１】
【図１】折り畳み自在な荷役用パレットの全体を示す斜視図である。
【図２】同上パレットの概略縦断側面図である。
【図３】Ａ図は同上パレットの荷支持台を構成するメッシュ構造体の平面図、Ｂ図は同フレーム構造体の平面図である。
【図４】Ａ図は荷支持台の左側辺部を示す平面図、Ｂ図はその一部変形例を示す平面図である。
【図５】図４Ａの要部の拡大側面図である。
【図６】図４の要部の拡大縦断正面図である。
【図７】第二実施形態に係る上向き突出部材と位置決め用係合部材を示す斜視図である。
【図８】第二実施形態を示す要部の縦断正面図である。
【図９】第三実施形態に係る上向き突出部材と位置決め用係合部材を示す斜視図である。
【図１０】第三実施形態を示す要部の縦断正面図である。
【図１１】第四実施形態を示す要部の縦断正面図である。
【符号の説明】
【００３２】
１    荷支持台
２，３    サイドパネル
４    バックパネル
５    ゲートパネル
６    荷支持台のフレーム構造体
７    荷支持台のメッシュ構造体
８    脚体
９，１１〜１３    ヒンジ
１０    バックパネルの折曲底辺部
１４    係止手段
１５    折り畳み段積み用支持具
１６ａ，１６ｂ    フレーム構造体の前後方向枠材
１６ｃ〜１６ｅ    フレーム構造体の左右方向枠材
１７    フレーム構造体の周囲枠
１８    メッシュ構造体の前後方向線材
１９    メッシュ構造体の左右方向線材
２０    パネル支持部
２１，２５，２９，３１    上向き突出部材
２２，２２ａ，２２ｂ，２７    取付け部
２３，２６，３０，３２    位置決め用係合部材
２４，２４ａ〜２４ｃ，３３    棒状材
２４ｃ    パネル支持面部
２８    突出片
【図１】
2009046164.tif 000003
【図２】
2009046164.tif 000004
【図３】
2009046164.tif 000005
【図４】
2009046164.tif 000006
【図５】
2009046164.tif 000007
【図６】
2009046164.tif 000008
【図７】
2009046164.tif 000009
【図８】
2009046164.tif 000010
【図９】
2009046164.tif 000011
【図１０】
2009046164.tif 000012
【図１１】
2009046164.tif 000013